(57)【要約】近端装置と遠端装置との間でフレームデータ伝送を行う方法及び装置。前記方法は、物理層ＰＨＹ変換チップが内蔵された近端装置はカスタムフレームフォーマットの基本フレームを生成し、前記基本フレームは１番目の数のスーパーグループを含み、前記スーパーグループは２番目の数の基本グループを含み、前記基本グループはメディアアクセス制御ＭＡＣフレーム構造データ及びフレームギャップを含むステップと、前記ＭＡＣフレーム構造データ及びフレームギャップの期間と前記物理層ＰＨＹ変換チップの出力タイミングとをマッチングするステップと、前記物理層ＰＨＹ変換チップによって、前記基本フレームをファイバ信号に変換して遠端装置に送信するステップと、を含む。本願の実施例では、ＭＡＣフレーム構造データ及びフレームギャップの期間が最下位層ＰＨＹ変換チップの出力タイミングにマッチングすることで、最下位層ＰＨＹ変換チップはデータを正常に送受信できる。【選択図】図１
2019524036.tif 000002
【特許請求の範囲】
【請求項１】
近端装置と遠端装置との間でフレームデータ伝送を行う方法であって、
物理層ＰＨＹ変換チップが内蔵された近端装置はカスタムフレームフォーマットの基本フレームを生成し、前記基本フレームは１番目の数のスーパーグループを含み、前記スーパーグループは２番目の数の基本グループを含み、前記基本グループはメディアアクセス制御ＭＡＣフレーム構造データ及びフレームギャップを含むステップと、
前記ＭＡＣフレーム構造データ及びフレームギャップの期間と前記物理層ＰＨＹ変換チップの出力タイミングとをマッチングするステップと、
前記物理層ＰＨＹ変換チップによって、前記基本フレームをファイバ信号に変換して遠端装置に送信するステップと、を含むことを特徴とする方法。
【請求項２】
前記ＭＡＣフレーム構造データはＩＱデータを含み、
前記近端装置がカスタムフレームフォーマットの基本フレームを生成するステップは、
前記近端装置がアンテナのサンプリングポイントのＩＱデータを取得するステップと、
所定のフォーマット順でアンテナのサンプリングポイントのＩＱデータを基本フレームの各基本グループに格納するステップと、を含むことを特徴とする請求項１に記載の方法。
【請求項３】
前記ＭＡＣフレーム構造データは、制御ワードを伝送するように設置される制御管理ＣＭチャネルを含み、
前記方法は、
前記近端装置が前記遠端装置から送信される基本フレームを受信するステップと、
前記遠端装置から送信される基本フレームの基本グループのＣＭチャネルから、遠端装置の内部上り・下り遅延値を示すように設置される第１制御ワードを抽出するステップと、
近端装置の内部上り・下り遅延値を算出するステップと、
前記近端装置の内部上り・下り遅延値、及び前記遠端装置の内部上り・下り遅延値に基づき、リンク遅延値を算出するステップと、
リンク遅延値に応じて、フレームヘッダーを読み書きするタイミングを調整するステップと、をさらに含むことを特徴とする請求項１に記載の方法。
【請求項４】
前記近端装置が前記遠端装置から送信される基本フレームを受信するステップは、
前記近端装置が前記遠端装置から送信されるファイバ信号を受信するステップと、
前記物理層ＰＨＹ変換チップによって、前記ファイバ信号を基本フレームに復元するステップと、を含むことを特徴とする請求項３に記載の方法。
【請求項５】
前記近端装置が前記遠端装置に送信する基本フレームの基本グループのＣＭチャネルには、前記リンク遅延値を示すように設置される第２制御ワードをさらに含み、前記遠端装置は前記第２制御ワードによってワイヤレスフレームヘッダーを復元するように設置されることを特徴とする請求項３又は４に記載の方法。
【請求項６】
前記ＭＡＣフレーム構造データは、アプリケーション層メッセージを伝送するように設置されるメッセージチャネルを含み、
前記近端装置がカスタムフレームフォーマットの基本フレームを生成するステップは、
前記近端装置が８Ｂ／１０Ｂ符号化によってアプリケーション層メッセージを生成するステップと、
前記アプリケーション層メッセージに対してパケット先頭ＳＳＤインジケータとパケット末尾ＥＳＤインジケータを設定し、前記遠端装置は、ＳＳＤが検出されると、対応するＭＡＣフレーム構造データを解析し、前記ＭＡＣフレーム構造データに巡回冗長コードＣＲＣ検査を行い、ＣＲＣ検査がただしいと、前記ＭＡＣフレーム構造データを受信し、ＣＲＣ検査エラーが発生すると、前記ＭＡＣフレーム構造データを破棄するステップと、
前記アプリケーション層メッセージをメッセージチャネルに格納するステップと、を含むことを特徴とする請求項１に記載の方法。
【請求項７】
前記近端装置は、前記近端装置のフレームヘッダーであるローカルフレームヘッダーと、前記遠端装置のフレームヘッダーであるチャネル連携フレームヘッダーとの相対位置を取得するステップと、
前記相対位置に基づき、前記遠端装置とフレームヘッダー同期を行うステップと、をさらに含むことを特徴とする請求項５に記載の方法。
【請求項８】
前記近端装置は、前記遠端装置から送信される基本フレームの基本グループのＣＭチャネルから、スーパーグループのフレームヘッダー開始位置を示すように設置される第３制御ワードを抽出するステップをさらに含み、
前記近端装置がローカルフレームヘッダーと、チャネル連携フレームヘッダーとの相対位置を取得するステップは、
前記第３制御ワードに基づき、ローカルフレームヘッダーとチャネル連携フレームヘッダーとの相対位置を算出するステップを含むことを特徴とする請求項７に記載の方法。
【請求項９】
近端装置と遠端装置との間でフレームデータ伝送を行う方法であって、
物理層ＰＨＹ変換チップが内蔵された遠端装置は近端装置から送信されるファイバ信号を受信するステップと、
前記物理層ＰＨＹ変換チップによって、所定の出力タイミングで前記ファイバ信号を基本フレームに復元し、前記基本フレームが１番目の数のスーパーグループを含み、前記スーパーグループが２番目の数の基本グループを含み、前記基本グループがＭＡＣフレーム構造データ及びフレームギャップを含むステップと、を含み、
前記物理層ＰＨＹ変換チップの出力タイミングが前記ＭＡＣフレーム構造データ及びフレームギャップの期間にマッチングすることを特徴とする方法。
【請求項１０】
前記ＭＡＣフレーム構造データはＣＭチャネルを含み、
前記方法は、
前記遠端装置が遠端装置の内部上り・下り遅延値を算出するステップと、
前記遠端装置の内部上り・下り遅延値によって、遠端装置の内部上り・下り遅延値を示すように設置される第１制御ワードを生成するステップと、
前記第１制御ワードを基本フレームの基本グループのＣＭチャネルに格納し、基本フレームを生成するステップと、
前記物理層ＰＨＹ変換チップによって、前記第１制御ワードを有する基本フレームを前記近端装置に送信し、前記近端装置は前記第１制御ワードに基づき近端装置のリンク遅延値を算出するステップと、をさらに含むことを特徴とする請求項９に記載の方法。
【請求項１１】
前記遠端装置は、前記近端装置から送信される基本フレームの基本グループのＣＭチャネルから、前記リンク遅延値を示すように設置される第２制御ワードを抽出するステップと、
前記第２制御ワードによってワイヤレスフレームヘッダーを復元するステップと、をさらに含むことを特徴とする請求項１０に記載の方法。
【請求項１２】
前記遠端装置は、リンク上にアプリケーション層メッセージのパケット先頭ＳＳＤがあるか否かを検出するステップと、
パケット先頭ＳＳＤが検出されると、アプリケーション層情報ペアのＭＡＣフレーム構造データを解析し、前記ＭＡＣフレーム構造データに巡回冗長コードＣＲＣ検査を行うステップと、
ＣＲＣ検査がただしいと、前記ＭＡＣフレーム構造データを受信するステップと、
ＣＲＣ検査エラーが発生すると、前記ＭＡＣフレーム構造データを破棄するステップと、をさらに含むことを特徴とする請求項９に記載の方法。
【請求項１３】
前記遠端装置が前記近端に送信する基本フレームの基本グループのＣＭチャネルには、スーパーグループのフレームヘッダー開始位置を示すように設置される第３制御ワードを含むことを特徴とする請求項１０に記載の方法。
【請求項１４】
近端装置と遠端装置との間でフレームデータ伝送を行う装置であって、
物理層ＰＨＹ変換チップが内蔵された前記近端装置に位置し、カスタムフレームフォーマットの基本フレームを生成するように設置され、前記基本フレームが１番目の数のスーパーグループを含み、前記スーパーグループが２番目の数の基本グループを含み、前記基本グループがＭＡＣフレーム構造データ及びフレームギャップを含む近端生成モジュールと、
前記近端装置に位置し、前記ＭＡＣフレーム構造データ及びフレームギャップの期間と前記物理層ＰＨＹ変換チップの出力タイミングとをマッチングするように設置される近端マッチングモジュールと、
前記近端装置に位置し、前記物理層ＰＨＹ変換チップによって、前記基本フレームをファイバ信号に変換して遠端装置に送信するように設置される近端送信モジュールと、を備えることを特徴とする装置。
【請求項１５】
前記ＭＡＣフレーム構造データはＩＱデータを含み、
前記近端生成モジュールは、
アンテナのサンプリングポイントのＩＱデータを取得するように設置される近端ＩＱデータ取得サブモジュールと、
所定のフォーマット順でアンテナのサンプリングポイントのＩＱデータを基本フレームの各基本グループに格納するように設置される近端ＩＱデータ格納サブモジュールと、を備えることを特徴とする請求項１４に記載の装置。
【請求項１６】
前記ＭＡＣフレーム構造データは、制御ワードを伝送するように設置されるＣＭチャネルをさらに含み、前記装置は、
前記近端装置に位置し、前記遠端装置から送信される基本フレームを受信するように設置される近端受信モジュールと、
前記近端装置に位置し、前記遠端装置から送信される基本フレームの基本グループのＣＭチャネルから、遠端装置の内部上り・下り遅延値を示すように設置される第１制御ワードを抽出するように設置される近端第１制御ワード抽出モジュールと、
前記近端装置に位置し、近端装置の内部上り・下り遅延値を算出するように設置される近端遅延算出モジュールと、
前記近端装置に位置し、前記近端装置の内部上り・下り遅延値、及び前記遠端装置の内部上り・下り遅延値に基づき、リンク遅延値を算出するように設置されるリンク遅延算出モジュールと、
前記近端装置に位置し、リンク遅延値に応じて、フレームヘッダーを読み書きするタイミングを調整するように設置される近端タイミング調整モジュールと、をさらに備えることを特徴とする請求項１４に記載の装置。
【請求項１７】
前記近端受信モジュールは、
前記遠端装置から送信されるファイバ信号を受信するように設置される近端ファイバ信号受信サブモジュールと、
前記物理層ＰＨＹ変換チップによって、前記ファイバ信号を基本フレームに復元するように設置される近端基本フレーム復元サブモジュールと、を備えることを特徴とする請求項１６に記載の装置。
【請求項１８】
前記近端装置が前記遠端装置に送信する基本フレームの基本グループのＣＭチャネルには、前記リンク遅延値を示すように設置される第２制御ワードをさらに含み、前記遠端装置は前記第２制御ワードによってワイヤレスフレームヘッダーを復元するように設置されることを特徴とする請求項１６又は１７に記載の装置。
【請求項１９】
前記ＭＡＣフレーム構造データは、アプリケーション層メッセージを伝送するように設置されるメッセージチャネルをさらに含み、
前記近端生成モジュールは、
８Ｂ／１０Ｂ符号化によってアプリケーション層メッセージを生成するように設置される近端アプリケーション層メッセージ生成サブモジュールと、
前記アプリケーション層メッセージに対してパケット先頭ＳＳＤインジケータとパケット末尾ＥＳＤインジケータを設定するように設置される近端インジケータ設定サブモジュールであって、前記遠端装置は、ＳＳＤが検出されると、対応するＭＡＣフレーム構造データを解析し、前記ＭＡＣフレーム構造データに巡回冗長コードＣＲＣ検査を行い、ＣＲＣ検査がただしいと、前記ＭＡＣフレーム構造データを受信し、ＣＲＣ検査エラーが発生すると、前記ＭＡＣフレーム構造データを破棄するように設置される近端インジケータ設定サブモジュールと、
前記アプリケーション層メッセージをメッセージチャネルに格納するように設置される近端アプリケーション層メッセージ格納サブモジュールと、を備えることを特徴とする請求項１４に記載の装置。
【請求項２０】
前記近端装置に位置し、前記近端装置のフレームヘッダーであるローカルフレームヘッダーと、前記遠端装置のフレームヘッダーであるチャネル連携フレームヘッダーとの相対位置を取得するように設置されるフレームヘッダー相対位置取得モジュールと、
前記近端装置に位置し、前記相対位置に基づき、前記遠端装置とフレームヘッダー同期を行うように設置される近端フレームヘッダー同期モジュールと、をさらに備えることを特徴とする請求項１８に記載の装置。
【請求項２１】
前記近端装置に位置し、前記遠端装置から送信される基本フレームの基本グループのＣＭチャネルから、スーパーグループのフレームヘッダー開始位置を示すように設置される第３制御ワードを抽出するように設置される近端第３制御ワード抽出モジュールをさらに備え、
前記フレームヘッダー相対位置取得モジュールは、
前記第３制御ワードに基づき、ローカルフレームヘッダーとチャネル連携フレームヘッダーとの相対位置を算出するように設置される近端相対位置算出サブモジュールを備えることを特徴とする請求項２０に記載の装置。
【請求項２２】
近端装置と遠端装置との間でフレームデータ伝送を行う装置であって、
物理層ＰＨＹ変換チップが内蔵された前記遠端装置に位置し、近端装置から送信されるファイバ信号を受信するように設置される遠端受信モジュールと、
前記遠端装置に位置し、前記物理層ＰＨＹ変換チップによって、所定の出力タイミングで前記ファイバ信号を基本フレームに復元し、前記基本フレームが１番目の数のスーパーグループを含み、前記スーパーグループが２番目の数の基本グループを含み、前記基本グループがＭＡＣフレーム構造データ及びフレームギャップを含む遠端復元モジュールと、を備え、
前記物理層ＰＨＹ変換チップの出力タイミングが前記ＭＡＣフレーム構造データ及びフレームギャップの期間にマッチングすることを特徴とする装置。
【請求項２３】
前記ＭＡＣフレーム構造データはＣＭチャネルを含み、
前記装置は、
前記遠端装置に位置し、遠端装置の内部上り・下り遅延値を算出するように設置される遠端遅延算出モジュールと、
前記遠端装置に位置し、前記遠端装置の内部上り・下り遅延値によって、遠端装置の内部上り・下り遅延値を示すように設置される第１制御ワードを生成するように設置される遠端第１制御ワード生成モジュールと、
前記遠端装置に位置し、前記第１制御ワードを基本フレームの基本グループのＣＭチャネルに格納し、基本フレームを生成するように設置される遠端基本フレーム生成モジュールと、
前記遠端装置に位置し、前記物理層ＰＨＹ変換チップによって、前記第１制御ワードを有する基本フレームを前記近端装置に送信するように設置される遠端基本フレーム送信モジュールと、をさらに備え、
前記近端装置は前記第１制御ワードに基づき近端装置のリンク遅延値を算出するように設置されることを特徴とする請求項２２に記載の装置。
【請求項２４】
前記遠端装置に位置し、前記近端装置から送信される基本フレームの基本グループのＣＭチャネルから、前記リンク遅延値を示すように設置される第２制御ワードを抽出するように設置される第２制御ワード抽出モジュールと、
前記遠端装置に位置し、前記第２制御ワードによってワイヤレスフレームヘッダーを復元するように設置される遠端ワイヤレスフレームヘッダー復元モジュールと、をさらに備えることを特徴とする請求項２３に記載の装置。
【請求項２５】
前記遠端装置に位置し、リンク上にアプリケーション層メッセージのパケット先頭ＳＳＤがあるか否かを検出するように設置される遠端ＳＳＤ検出モジュールと、
前記遠端装置に位置し、パケット先頭ＳＳＤが検出されると、アプリケーション層情報ペアのＭＡＣフレーム構造データを解析し、前記ＭＡＣフレーム構造データに巡回冗長コードＣＲＣ検査を行うように設置される遠端ＣＲＣ検査モジュールと、
前記遠端装置に位置し、ＣＲＣ検査がただしいと、前記ＭＡＣフレーム構造データを受信するように設置される遠端データ受信モジュールと、
前記遠端装置に位置し、ＣＲＣ検査エラーが発生すると、前記ＭＡＣフレーム構造データを破棄するように設置される遠端データ破棄モジュールと、をさらに備えることを特徴とする請求項２２に記載の装置。
【請求項２６】
前記遠端装置が前記近端に送信する基本フレームの基本グループのＣＭチャネルには、スーパーグループのフレームヘッダー開始位置を示すように設置される第３制御ワードを含むことを特徴とする請求項２３に記載の装置。
【請求項２７】
請求項１−８のいずれか一項に記載の方法を実行するためのプログラムを記録したコンピュータ可読記録媒体。
【請求項２８】
請求項９−１３のいずれか一項に記載の方法を実行するためのプログラムを記録したコンピュータ可読記録媒体。
【発明の詳細な説明】
【技術分野】
【０００１】
本願は、通信技術分野に関し、特に近端装置と遠端装置との間でフレームデータ伝送を行う方法、及び近端装置と遠端装置との間でフレームデータ伝送を行う装置に関する。
【背景技術】
【０００２】
モバイル通信技術の発展に伴い、大容量データの高速伝送は必然的な傾向になっている。ＩＱデータ及び物理層制御ワード等のデータの連続高速伝送が必要になり、伝送プロトコルに対してより高い要求が求められている。
【０００３】
従来のＩＲ  （Ｉｎｔｅｒｆａｃｅ  ｂｅｔｗｅｅｎ  ｔｈｅ  ＲＲＵ  ａｎｄ  ｔｈｅ  ＢＢＵ）プロトコル及びＣＰＲＩ（Ｃｏｍｍｏｎ  Ｐｕｂｌｉｃ  Ｒａｄｉｏ  Ｉｎｔｅｒｆａｃｅ、共通公衆無線インタフェース）プロトコルは、ともに成熟した安定的な通信インタフェースプロトコルであるが、メッセージデータ伝送中にデータにＫコードフラグが追加され、その結果、データがネットワークポートインタフェースＰＨＹ（Ｐｈｙｓｉｃａｌ  Ｌａｙｅｒ、物理層）変換チップのタイミングに合致できず、従ってネットワークケーブルによるデータ伝送が不能になる。また、ＩＲ及びＣＰＲＩプロトコルは各連続的な基本グループがいずれもＩＱデータを伝送するのではないため、ＩＱデータ伝送が不安定になり、パケット損失の可能性が増加し、設計が困難で、アプリケーション層での処理が困難でになる。
【発明の概要】
【発明が解決しようとする課題】
【０００４】
上記問題に鑑みて、本願の実施例は、上記問題又は少なくとも上記問題の一部を解決できる近端装置と遠端装置との間でフレームデータ伝送を行う方法、及び近端装置と遠端装置との間でフレームデータ伝送を行う装置を提供する。
【課題を解決するための手段】
【０００５】
上記問題を解決するために、本願の実施例は、近端装置と遠端装置との間でフレームデータ伝送を行う方法が開示されており、
物理層ＰＨＹ変換チップが内蔵された近端装置はカスタムフレームフォーマットの基本フレームを生成し、前記基本フレームは１番目の数のスーパーグループを含み、前記スーパーグループは２番目の数の基本グループを含み、前記基本グループはメディアアクセス制御ＭＡＣフレーム構造データ及びフレームギャップを含むステップと、
前記ＭＡＣフレーム構造データ及びフレームギャップの期間と前記物理層ＰＨＹ変換チップの出力タイミングとをマッチングするステップと、
前記物理層ＰＨＹ変換チップによって、前記基本フレームをファイバ信号に変換して遠端装置に送信するステップと、を含む。
【０００６】
好ましくは、前記ＭＡＣフレーム構造データはＩＱデータを含み、前記近端装置がカスタムフレームフォーマットの基本フレームを生成するステップは、前記近端装置がアンテナのサンプリングポイントのＩＱデータを取得するステップと、所定のフォーマット順でアンテナのサンプリングポイントのＩＱデータを基本フレームの各基本グループに格納するステップと、を含む。
【０００７】
好ましくは、前記ＭＡＣフレーム構造データは、制御ワードを伝送するように設置される制御管理ＣＭチャネルを含み、前記方法は、前記近端装置が前記遠端装置から送信される基本フレームを受信するステップと、前記遠端装置から送信される基本フレームの基本グループのＣＭチャネルから、遠端装置の内部上り・下り遅延値を示すように設置される第１制御ワードを抽出するステップと、近端装置の内部上り・下り遅延値を算出するステップと、前記近端装置の内部上り・下り遅延値、及び前記遠端装置の内部上り・下り遅延値に基づき、リンク遅延値を算出するステップと、リンク遅延値に応じて、フレームヘッダーを読み書きするタイミングを調整するステップと、をさらに含む。
【０００８】
好ましくは、前記近端装置が前記遠端装置から送信される基本フレームを受信するステップは、前記近端装置が前記遠端装置から送信されるファイバ信号を受信するステップと、前記物理層ＰＨＹ変換チップによって、前記ファイバ信号を基本フレームに復元するステップと、を含む。
【０００９】
好ましくは、前記近端装置が前記遠端装置に送信する基本フレームの基本グループのＣＭチャネルには、前記リンク遅延値を示すように設置される第２制御ワードをさらに含み、前記遠端装置は前記第２制御ワードによってワイヤレスフレームヘッダーを復元するように設置される。
【００１０】
好ましくは、前記ＭＡＣフレーム構造データは、アプリケーション層メッセージを伝送するように設置されるメッセージチャネルを含み、前記近端装置がカスタムフレームフォーマットの基本フレームを生成するステップは、前記近端装置が８Ｂ／１０Ｂ符号化によってアプリケーション層メッセージを生成するステップと、前記アプリケーション層メッセージに対してパケット先頭ＳＳＤインジケータとパケット末尾ＥＳＤインジケータを設定するステップと、前記遠端装置は、ＳＳＤが検出されると、対応するＭＡＣフレーム構造データを解析し、前記ＭＡＣフレーム構造データに巡回冗長コードＣＲＣ検査を行うステップと、ＣＲＣ検査がただしいと、前記ＭＡＣフレーム構造データを受信するステップと、ＣＲＣ検査エラーが発生すると、前記ＭＡＣフレーム構造データを破棄するステップと、前記アプリケーション層メッセージをメッセージチャネルに格納するステップと、を含む。
【００１１】
好ましくは、前記近端装置は、前記近端装置のフレームヘッダーであるローカルフレームヘッダーと、前記遠端装置のフレームヘッダーであるチャネル連携フレームヘッダーとの相対位置を取得するステップと、前記相対位置に基づき、前記遠端装置とフレームヘッダー同期を行うステップと、をさらに含む。
【００１２】
好ましくは、前記近端装置は、前記遠端装置から送信される基本フレームの基本グループのＣＭチャネルから、スーパーグループのフレームヘッダー開始位置を示すように設置される第３制御ワードを抽出するステップをさらに含む。
【００１３】
前記近端装置がローカルフレームヘッダーとチャネル連携フレームヘッダーとの相対位置を取得するステップは、前記第３制御ワードに基づき、ローカルフレームヘッダーとチャネル連携フレームヘッダーとの相対位置を算出するステップを含む。
【００１４】
同時に、本願の実施例は、近端装置と遠端装置との間でフレームデータ伝送を行う方法がさらに開示されており、
物理層ＰＨＹ変換チップが内蔵された遠端装置は近端装置から送信されるファイバ信号を受信するステップと、
前記物理層ＰＨＹ変換チップによって、所定の出力タイミングで前記ファイバ信号を基本フレームに復元し、前記基本フレームが１番目の数のスーパーグループを含み、前記スーパーグループが２番目の数の基本グループを含み、前記基本グループがＭＡＣフレーム構造データ及びフレームギャップを含むステップと、を含み、
前記物理層ＰＨＹ変換チップの出力タイミングが前記ＭＡＣフレーム構造データ及びフレームギャップの期間にマッチングする。
【００１５】
好ましくは、前記ＭＡＣフレーム構造データはＣＭチャネルを含み、前記方法は、前記遠端装置が遠端装置の内部上り・下り遅延値を算出するステップと、前記遠端装置の内部上り・下り遅延値によって、遠端装置の内部上り・下り遅延値を示すように設置される第１制御ワードを生成するステップと、前記第１制御ワードを基本フレームの基本グループのＣＭチャネルに格納し、基本フレームを生成するステップと、前記物理層ＰＨＹ変換チップによって、前記第１制御ワードを有する基本フレームを前記近端装置に送信するステップと、前記近端装置は前記第１制御ワードに基づき近端装置のリンク遅延値を算出するステップと、をさらに含む。
【００１６】
好ましくは、前記遠端装置は、前記近端装置から送信される基本フレームの基本グループのＣＭチャネルから、前記リンク遅延値を示すように設置される第２制御ワードを抽出するステップと、前記第２制御ワードによってワイヤレスフレームヘッダーを復元するステップと、をさらに含む。
【００１７】
好ましくは、前記遠端装置は、リンク上にアプリケーション層メッセージのパケット先頭ＳＳＤがあるか否かを検出するステップと、パケット先頭ＳＳＤが検出されると、アプリケーション層情報ペアのＭＡＣフレーム構造データを解析し、前記ＭＡＣフレーム構造データに巡回冗長コードＣＲＣ検査を行うステップと、ＣＲＣ検査がただしいと、前記ＭＡＣフレーム構造データを受信するステップと、ＣＲＣ検査エラーが発生すると、前記ＭＡＣフレーム構造データを破棄するステップと、をさらに含む。
【００１８】
好ましくは、前記遠端装置が前記近端に送信する基本フレームの基本グループのＣＭチャネルには、スーパーグループのフレームヘッダー開始位置を示すように設置される第３制御ワードを含む。
【００１９】
同時に、本願の実施例は近端装置と遠端装置との間でフレームデータ伝送を行う装置がさらに開示されており、
物理層ＰＨＹ変換チップが内蔵された前記近端装置に位置し、カスタムフレームフォーマットの基本フレームを生成するように設置され、前記基本フレームが１番目の数のスーパーグループを含み、前記スーパーグループが２番目の数の基本グループを含み、前記基本グループがＭＡＣフレーム構造データ及びフレームギャップを含む近端生成モジュールと、
前記近端装置に位置し、前記ＭＡＣフレーム構造データ及びフレームギャップの期間と前記物理層ＰＨＹ変換チップの出力タイミングとをマッチングするように設置される近端マッチングモジュールと、
前記近端装置に位置し、前記物理層ＰＨＹ変換チップによって、前記基本フレームをファイバ信号に変換して遠端装置に送信するように設置される近端送信モジュールと、を備える。
【００２０】
好ましくは、前記ＭＡＣフレーム構造データはＩＱデータを含み、
前記近端生成モジュールは、アンテナのサンプリングポイントのＩＱデータを取得するように設置される近端ＩＱデータ取得サブモジュールと、所定のフォーマット順でアンテナのサンプリングポイントのＩＱデータを基本フレームの各基本グループに格納するように設置される近端ＩＱデータ格納サブモジュールと、を備える。
【００２１】
好ましくは、前記ＭＡＣフレーム構造データは、制御ワードを伝送するように設置されるＣＭチャネルを含み、前記装置は、前記近端装置に位置し、前記遠端装置から送信される基本フレームを受信するように設置される近端受信モジュールと、前記近端装置に位置し、前記遠端装置から送信される基本フレームの基本グループのＣＭチャネルから、遠端装置の内部上り・下り遅延値を示すように設置される第１制御ワードを抽出するように設置される近端第１制御ワード抽出モジュールと、前記近端装置に位置し、近端装置の内部上り・下り遅延値を算出するように設置される近端遅延算出モジュールと、前記近端装置に位置し、前記近端装置の内部上り・下り遅延値、及び前記遠端装置の内部上り・下り遅延値に基づき、リンク遅延値を算出するように設置されるリンク遅延算出モジュールと、前記近端装置に位置し、リンク遅延値に応じて、フレームヘッダーを読み書きするタイミングを調整するように設置される近端タイミング調整モジュールと、をさらに備える。
【００２２】
好ましくは、前記近端受信モジュールは、前記遠端装置から送信されるファイバ信号を受信するように設置される近端ファイバ信号受信サブモジュールと、前記物理層ＰＨＹ変換チップによって、前記ファイバ信号を基本フレームに復元するように設置される近端基本フレーム復元サブモジュールと、を備える。
【００２３】
好ましくは、前記近端装置が前記遠端装置に送信する基本フレームの基本グループのＣＭチャネルには、前記リンク遅延値を示すように設置される第２制御ワードをさらに含み、前記遠端装置は前記第２制御ワードによってワイヤレスフレームヘッダーを復元するように設置される。
【００２４】
好ましくは、前記ＭＡＣフレーム構造データは、アプリケーション層メッセージを伝送するように設置されるメッセージチャネルを含み、
前記近端生成モジュールは、
８Ｂ／１０Ｂ符号化によってアプリケーション層メッセージを生成するように設置される近端アプリケーション層メッセージ生成サブモジュールと、
前記アプリケーション層メッセージに対してパケット先頭ＳＳＤインジケータとパケット末尾ＥＳＤインジケータを設定するように設置される近端インジケータ設定サブモジュールであって、前記遠端装置は、ＳＳＤが検出されると、対応するＭＡＣフレーム構造データを解析し、前記ＭＡＣフレーム構造データに巡回冗長コードＣＲＣ検査を行い、ＣＲＣ検査がただしいと、前記ＭＡＣフレーム構造データを受信し、ＣＲＣ検査エラーが発生すると、前記ＭＡＣフレーム構造データを破棄するように設置される近端インジケータ設定サブモジュールと、
前記アプリケーション層メッセージをメッセージチャネルに格納するように設置される近端アプリケーション層メッセージ格納サブモジュールと、を備える。
【００２５】
好ましくは、前記近端装置に位置し、前記近端装置のフレームヘッダーであるローカルフレームヘッダーと、前記遠端装置のフレームヘッダーであるチャネル連携フレームヘッダーとの相対位置を取得するように設置されるフレームヘッダー相対位置取得モジュールと、前記近端装置に位置し、前記相対位置に基づき、前記遠端装置とフレームヘッダー同期を行うように設置される近端フレームヘッダー同期モジュールと、をさらに備える。
【００２６】
好ましくは、前記近端装置に位置し、前記遠端装置から送信される基本フレームの基本グループのＣＭチャネルから、スーパーグループのフレームヘッダー開始位置を示すように設置される第３制御ワードを抽出するように設置される近端第３制御ワード抽出モジュールをさらに備える。
【００２７】
前記フレームヘッダー相対位置取得モジュールは、
前記第３制御ワードに基づき、ローカルフレームヘッダーとチャネル連携フレームヘッダーとの相対位置を算出するように設置される近端相対位置算出サブモジュールを備える。
【００２８】
同時に、本願の実施例は近端装置と遠端装置との間でフレームデータ伝送を行う装置がさらに開示されており、物理層ＰＨＹ変換チップが内蔵された前記遠端装置に位置し、近端装置から送信されるファイバ信号を受信するように設置される遠端受信モジュールと、前記遠端装置に位置し、前記物理層ＰＨＹ変換チップによって、所定の出力タイミングで前記ファイバ信号を基本フレームに復元し、前記基本フレームが１番目の数のスーパーグループを含み、前記スーパーグループが２番目の数の基本グループを含み、前記基本グループがＭＡＣフレーム構造データ及びフレームギャップを含む遠端復元モジュールと、を備え、前記物理層ＰＨＹ変換チップの出力タイミングが前記ＭＡＣフレーム構造データ及びフレームギャップの期間にマッチングする。
【００２９】
好ましくは、前記ＭＡＣフレーム構造データはＣＭチャネルを含み、前記装置は、前記遠端装置に位置し、遠端装置の内部上り・下り遅延値を算出するように設置される遠端遅延算出モジュールと、前記遠端装置に位置し、前記遠端装置の内部上り・下り遅延値によって、遠端装置の内部上り・下り遅延値を示すように設置される第１制御ワードを生成するように設置される遠端第１制御ワード生成モジュールと、前記遠端装置に位置し、前記第１制御ワードを基本フレームの基本グループのＣＭチャネルに格納し、基本フレームを生成するように設置される遠端基本フレーム生成モジュールと、前記遠端装置に位置し、前記物理層ＰＨＹ変換チップによって、前記第１制御ワードを有する基本フレームを前記近端装置に送信するように設置される遠端基本フレーム送信モジュールと、をさらに備え、前記近端装置は前記第１制御ワードに基づき近端装置のリンク遅延値を算出する。
【００３０】
好ましくは、前記遠端装置に位置し、前記近端装置から送信される基本フレームの基本グループのＣＭチャネルから、前記リンク遅延値を示すように設置される第２制御ワードを抽出するように設置される第２制御ワード抽出モジュールと、前記遠端装置に位置し、前記第２制御ワードによってワイヤレスフレームヘッダーを復元するように設置される遠端ワイヤレスフレームヘッダー復元モジュールと、をさらに備える。
【００３１】
好ましくは、前記遠端装置に位置し、リンク上にアプリケーション層メッセージのパケット先頭ＳＳＤがあるか否かを検出するように設置される遠端ＳＳＤ検出モジュールと、前記遠端装置に位置し、パケット先頭ＳＳＤが検出されると、アプリケーション層情報ペアのＭＡＣフレーム構造データを解析し、前記ＭＡＣフレーム構造データに巡回冗長コードＣＲＣ検査を行うように設置される遠端ＣＲＣ検査モジュールと、前記遠端装置に位置し、ＣＲＣ検査がただしいと、前記ＭＡＣフレーム構造データを受信するように設置される遠端データ受信モジュールと、前記遠端装置に位置し、ＣＲＣ検査エラーが発生すると、前記ＭＡＣフレーム構造データを破棄するように設置される遠端データ破棄モジュールと、をさらに備える。
【００３２】
好ましくは、前記遠端装置が前記近端に送信する基本フレームの基本グループのＣＭチャネルには、スーパーグループのフレームヘッダー開始位置を示すように設置される第３制御ワードを含む。
【００３３】
本願の実施例は上記方法用のプログラムを記録したコンピュータ可読記録媒体をさらに開示する。
【発明の効果】
【００３４】
本願の実施例は以下の利点を含む。
本願の実施例では、フレーム構造をカスタムし、各基本フレームが複数のスーパーグループを含み、各スーパーグループが複数の基本グループを含み、各基本グループがＭＡＣフレーム構造データ及びフレームギャップからなる。ＭＡＣフレーム構造データとフレームギャップの期間が最下位層ＰＨＹ変換チップの出力タイミングにマッチングすることで、最下位層ＰＨＹ変換チップはデータを正常に送受信できる。各基本グループのＭＡＣフレーム構造データ中でベースバンドＩＱデータを伝送することで、ＩＱデータを各基本フレーム内で連続的に伝送することを確保し、アプリケーション層のニーズを満たす。制御ワードをカスタムし、ＭＡＣフレーム構造データのＣＭチャネル中で制御ワードを伝送することで、最下位層制御情報の正常交換を確保する。
【図面の簡単な説明】
【００３５】
【図１】は本願に係る近端装置と遠端装置との間でフレームデータ伝送を行う方法の実施例のフローチャートである。
【図２】は本願の実施例における基本フレームの構造模式図である。
【図３】は本願の実施例における基本グループの構造模式図である。
【図４】は本願に係る別の近端装置と遠端装置との間でフレームデータ伝送を行う方法の実施例のフローチャートである。
【図５】は本願の実施例におけるＩＱデータ伝送のフォーマット順模式図である。
【図６】は本願の実施例における２０Ｍ帯域幅セルのサンプリングポイントの伝送順模式図である。
【図７】は本願の実施例における１０Ｍ帯域幅セルのサンプリングポイントの伝送順模式図である。
【図８】は本願の実施例における５Ｍ帯域幅セルのサンプリングポイントの伝送順模式図である。
【図９】は本願に係るさらに別の近端装置と遠端装置との間でフレームデータ伝送を行う方法の実施例のフローチャートである。
【図１０】は本願の実施例における同期ステートマシンのフローチャートである。
【図１１】は本願の実施例におけるリンク遅延値の算出方法の模式図である。
【図１２】は本願の一実施例に係る近端装置と遠端装置との間でフレームデータ伝送を行う方法のフローチャートである。
【図１３】は本願の別の実施例に係る近端装置と遠端装置との間でフレームデータ伝送を行う方法のフローチャートである。
【図１４】は本願に係る近端装置と遠端装置との間でフレームデータ伝送を行う装置の実施例の構造ブロック図である。
【図１５】は本願に係る別の近端装置と遠端装置との間でフレームデータ伝送を行う装置の実施例の構造ブロック図である。
【発明を実施するための形態】
【００３６】
本願の上記目的、特徴及び利点をよりわかりやすくするために、以下、図面及び実施形態を参照して本願をさらに詳細に説明する。
【００３７】
本願の実施例の主要構想の一つとして、基本フレーム構造をカスタムすることで、基本フレームがＰＨＹ変換チップのタイミング要求を満たすとともに、ＩＱデータが連続的かつ安定的に伝送できる。
【００３８】
図１に示すように、本願に係る近端装置と遠端装置との間でフレームデータ伝送を行う方法の実施例のフローチャートであり、具体的には以下のステップを含む。
【００３９】
ステップ１０１：物理層ＰＨＹ変換チップが内蔵された近端装置はカスタムフレームフォーマットの基本フレームを生成する。前記基本フレームは１番目の数のスーパーグループを含み、前記スーパーグループは２番目の数の基本グループを含み、前記基本グループはＭＡＣ（Ｍｅｄｉａ  Ａｃｃｅｓｓ  Ｃｏｎｔｒｏｌ、メディアアクセス制御）フレーム構造データ及びフレームギャップを含む。
本願の実施例では、近端装置は基地局、遠端装置は無線リモートユニットＲＲＵ（Ｒａｄｉｏ  Ｒｅｍｏｔｅ  Ｕｎｉｔ）である。具体的には、基地局はセルのＩＱデータを取得し、カスタムフレームフォーマットに基づき基本フレームを生成する。基地局とＲＲＵはファイバによって接続され、基地局とＲＲＵの内部にいずれも物理層ＰＨＹ変換チップを有し、ＰＨＹ変換チップがデータリンク層データフレームを伝送媒体に応じた信号形態に変換し、伝送媒体で伝送し、さらにデータフレームに変換してデータリンク層に伝送し、本願の実施例では、伝送媒体はファイバ、信号形態はファイバ信号である。ＰＨＹ変換チップのインタフェースタイミングは１ｂｉｔの有効信号をデータイネーブル信号として含み、有効データを伝送し、有効データの開始と終了を識別する。ＩＲとＣＰＲＩプロトコルでは、データにフレームヘッダーフレームテール識別子を追加するのであり、データ有効信号が必要であり、ＰＨＹ変換チップタイミングを満たさない。本願の実施例では、基本グループにフレームギャップを設定することで、ＰＨＹ変換チップはフレームギャップの時に、イネーブル信号を設定できる。
【００４０】
ステップ１０２：前記ＭＡＣフレーム構造データ及びフレームギャップの期間と前記物理層ＰＨＹ変換チップの出力タイミングとをマッチングする。
基地局は各基本グループのＭＡＣフレーム構造データ及びフレームギャップの期間と物理層ＰＨＹ変換チップの出力タイミングとをマッチングする。ＭＡＣフレーム構造データ及びフレームギャップの期間と物理層ＰＨＹ変換チップの出力タイミングとをマッチングすることで、ＰＨＹ変換チップはフレームギャップの時に、イネーブル信号を設定してＭＡＣフレーム構造データの開始と終了を識別し、伝送されるデータの混乱を回避する。
【００４１】
ステップ１０３：前記物理層ＰＨＹ変換チップによって、前記基本フレームをファイバ信号に変換して遠端装置に送信する。
【００４２】
物理層ＰＨＹ変換チップによって、基本フレームデータをファイバ信号に変換し、ファイバによってファイバ信号を遠端装置に伝送する。
【００４３】
図２に示すように、本願の実施例における基本フレームの構造模式図である。本実施例では、基本フレーム（Ｂａｓｅ  Ｆｒａｍｅ）の期間を１０ｍｓとする。１個の基本フレームは２５個のスーパーグループ（Ｓｕｐｅｒ  Ｇｒｏｕｐ）を含み、各スーパーグループは３２個の基本グループ（Ｂａｓｅ  Ｇｒｏｕｐ）を含む。基本グループはデータ伝送の基本単位とし、期間が１２．５ｕｓである。各基本グループは１つのＭＡＣフレーム構造データ及びフレームギャップからなる。基本グループは１５３６バイトを占有し、そのうちＭＡＣフレーム構造データは１４９２バイト、フレームギャップは４４バイトを占有する。フレームギャップはＰＨＹチップの出力タイミングにマッチングするように設置される。
【００４４】
図３に示すように、本願の実施例における基本グループの構造模式図である。本願の実施例では、基本グループはＭＡＣフレーム構造データ及びフレームギャップを含み、
ＭＡＣフレーム構造データは、プリアンブル、宛先アドレス、ソースアドレス、タイプ／長さフィールド、ＦＣＳフィールド、フレーム数、ＩＱデータ、ＣＭチャネル、メッセージチャネル、予約フィールドを含む。
【００４５】
プリアンブル、宛先アドレス、ソースアドレス、タイプ／長さフィールド、ＦＣＳフィールドは必要な伝送オーバヘッドである。占有するバイト数について、プリアンブルは８ｂｙｔｅ、宛先アドレスは６ｂｙｔｅ、ソースアドレスは６ｂｙｔｅ、タイプ／長さフィールドは２ｂｙｔｅ、ＦＣＳフィールドは４ｂｙｔｅを占有する。
【００４６】
フレーム数、ＩＱデータ、ＣＭチャネル、メッセージチャネル、予約フィールドは実際のオーバヘッドである。占有するバイト数について、フレーム数は２ｂｙｔｅ、  ＩＱデータは１４４０ｂｙｔｅ、  メッセージチャネルは１８ｂｙｔｅ、ＣＭチャネルは４ｂｙｔｅ、予約フィールドは２ｂｙｔｅを占有する。
【００４７】
フレームギャップは４４ｂｙｔｅを占有する。基本グループ全体は合計１５３６ｂｙｔｅを占有する。
【００４８】
図４に示すように、本願に係る別の近端装置と遠端装置との間でフレームデータ伝送を行う方法の実施例のフローチャートであり、具体的には以下のステップを含む。
【００４９】
ステップ２０１：前記近端装置はアンテナのサンプリングポイントのＩＱデータを取得する。
ベースバンドデータを送受信する場面では、基地局はセル内の各アンテナの各サンプリングポイントのＩＱデータの伝送を担当する。
【００５０】
ステップ２０２：所定のフォーマット順でアンテナのサンプリングポイントのＩＱデータを基本フレームの各基本グループに格納する。
【００５１】
各基本グループのＭＡＣフレーム構造データ中でベースバンドＩＱデータを伝送することで、ＩＱデータを各基本フレーム内で連続的に伝送することを確保し、アプリケーション層のニーズを満たす。
【００５２】
前記基本グループ中のＩＱデータが占有するバイト数は、近端装置に対応するセルの現在の帯域幅のサンプリングポイント数×ビット幅×アンテナ数である。
【００５３】
現在、セル帯域幅は２０Ｍ、１０Ｍ、５Ｍの場合を含む。基本グループの期間を１２．５ｕｓとし、２０Ｍセル帯域幅圧縮モードを例（現在、可能な最大データ量）に、２０Ｍ帯域幅に対応する伝送ラインレートが３０．７２Ｍ個のサンプリングポイント／秒であるため、各基本グループの１２．５ｕｓの場合に、次の基本グループが３８４個のサンプリングポイントを伝送できる。各サンプリングポイントは１個のＩＱデータであり、１個のＩＱデータはサンプリングビット幅１５ｂｉｔのＩデータ及びサンプリングビット幅１５ｂｉｔのＱデータを含み、
ＩＱデータ量は、３８４×  １５ｂｉｔ  ×  ２  ＝  １１５２０  ｂｉｔ  ＝  １４４０  ｂｙｔｅである。
【００５４】
セル帯域幅が１０Ｍの場合、ＩＱデータ量は７２０ｂｙｔｅであり、セル帯域幅が５Ｍの場合、ＩＱデータ量は３６０ｂｙｔｅである。
【００５５】
ＩＱデータのフォーマット順は具体的には、アンテナの順序及びサンプリングポイントの前後順序で格納され、まずはアンテナ、後にサンプリングポイントであり、すなわち、基本グループ中に０アンテナ０サンプリングポイントのＩＱデータを格納し、次に１アンテナ０サンプリングポイントのＩＱデータを格納し、さらに２アンテナ０サンプリングポイントのＩＱデータを格納し、...０サンプリングポイントに対応するすべてのアンテナの格納終了後に、０アンテナ１サンプリングポイントを格納し、次に１アンテナ１サンプリングポイントを格納し、...このようにしてすべてのサンプリングポイントとアンテナを格納した後に循環する。
【００５６】
ステップ２０３：前記ＭＡＣフレーム構造データ及びフレームギャップの期間と前記物理層ＰＨＹ変換チップの出力タイミングとをマッチングする。
【００５７】
ステップ２０４：前記物理層ＰＨＹ変換チップによって、前記基本フレームをファイバ信号に変換して遠端装置に送信する。
【００５８】
本願の実施例の好適な例として、ＩＱデータのマッピングルール（すなわちＩＱデータのフォーマット順）によれば、２０Ｍ帯域幅セルに対応するＩサンプリングビット幅を７ｂｉｔ、対応するＱサンプリングビット幅を７ｂｉｔとし、１０Ｍ帯域幅セルに対応するＩサンプリングビット幅を１５ｂｉｔ、対応するＱサンプリングビット幅を１５ｂｉｔとし、５Ｍ帯域幅セルに対応するＩサンプリングビット幅を１５ｂｉｔ、対応するＱサンプリングビット幅を１５ｂｉｔとすることが定められる。
【００５９】
さらに、２０Ｍ帯域幅セルのサポートする最大日数を２、１０Ｍ帯域幅セルのサポートする最大日数を２、５Ｍ帯域幅セルのサポートする最大日数を４とすることが定められる。ＩＱデータを伝送する時、まず、順序上前にあるアンテナのＩＱデータを先に伝送し、さらに後ろにあるアンテナのＩＱデータを伝送する。
【００６０】
さらに、２０Ｍ帯域幅セルのサポートする最大サンプリングポイント数を３８４、１０Ｍ帯域幅セルのサポートする最大サンプリングポイント数を１９２、５Ｍ帯域幅セルのサポートする最大サンプリングポイント数を９６とすることが定められる。ＩＱデータを伝送する時、順序上前にあるサンプリングポイントのＩＱデータを先に伝送し、さらに順序上後ろにあるサンプリングポイントのＩＱデータを伝送する。
【００６１】
図５に示すように、本願の実施例におけるＩＱデータ伝送のフォーマット順模式図であり、ここで、Ｉ０をサンプリングポイント０のＩデータ、Ｑ０をサンプリングポイント０のＱデータとし、ほかのデータはこのように類推して、Ｋをサンプリングビット幅とし、伝送するフォーマット順について、順序上前にあるサンプリングポイントのＩデータを先に伝送し、さらに該サンプリングポイントのＱデータを伝送し、サンプリングポイントの順で順番伝送する。例えば、サンプリングポイント０のＩデータを先に伝送し、さらにサンプリングポイント０のＱデータを伝送し、続いてサンプリングポイント１のＩデータを伝送し、さらにサンプリングポイント１のＱデータを伝送する。
【００６２】
図６に示すように、本願の実施例における２０Ｍ帯域幅セルのサンプリングポイントの伝送順模式図である。ギガビットイーサネットポートで伝送する場合、１つの１２．５ｕｓの基本グループは最大３８４＊３０ｂｉｔのデータのみを伝送できる。従って、２０Ｍセルにおいて、１つの基本グループは１つの２アンテナ圧縮セルのＩＱデータのみを伝送でき、サンプリングポイント数が３８４個である。図中、横座標をｂｙｔｅ、縦座標をｂｉｔ、各格子を１つの１ｂｉｔデータとし、Ａはアンテナ、Ｃはサンプリングポイントを示し、異なる色は異なるアンテナを示し、１つの色の領域は１つのサンプリングポイントの１５ｂｉｔデータを示す。
まず、アンテナ０のサンプリングポイント０のデータＡ０Ｃ０を伝送し、続いて日数１のサンプリングポイント０のデータＡ１Ｃ０、アンテナ０のサンプリングポイント１のデータＡ０Ｃ１、アンテナ１のサンプリングポイント１のデータＡ１Ｃ１を順に伝送し、次に、アンテナ０のサンプリングポイント２のデータＡ０Ｃ２、アンテナ１のサンプリングポイント２のデータＡ１Ｃ２...アンテナ０のサンプリングポイント３８３のデータＡ０Ｃ３８３を順に伝送し、さらにアンテナ１のサンプリングポイント３８３のデータＡ１Ｃ３８３を伝送する。
【００６３】
図７に示すように、本願の実施例における１０Ｍ帯域幅セルのサンプリングポイントの伝送順模式図である。ギガビットイーサネットポートで伝送する場合、１つの１２．５ｕｓの基本グループは最大１９２＊２＊３０ｂｉｔのデータのみを伝送できる。従って、１０Ｍセルにおいて、１つの基本グループは１つの２アンテナ非圧縮セルのＩＱデータのみを伝送でき、サンプリングポイント数が１９２個である。図中、横座標をｂｙｔｅ、縦座標をｂｉｔ、各格子を１つの１ｂｉｔデータとし、Ａはアンテナ、Ｃはサンプリングポイントを示し、異なる色は異なるアンテナを示し、１つの色の領域は１つのサンプリングポイントの３０ｂｉｔデータを示す。
まず、アンテナ０のサンプリングポイント０のデータＡ０Ｃ０を伝送し、続いて日数１のサンプリングポイント０のデータＡ１Ｃ０、アンテナ０のサンプリングポイント１のデータＡ０Ｃ１、アンテナ１のサンプリングポイント１のデータＡ１Ｃ１を順に伝送し、次に、アンテナ０のサンプリングポイント２のデータＡ０Ｃ２、アンテナ１のサンプリングポイント２のデータＡ１Ｃ２...アンテナ０のサンプリングポイント１９１のデータＡ０Ｃ１９１を順に伝送し、さらにアンテナ１のサンプリングポイント１９１のデータＡ１Ｃ１９１を伝送する。
【００６４】
図８に示すように、本願の実施例における５Ｍ帯域幅セルのサンプリングポイントの伝送順模式図である。ギガビットイーサネットポートで伝送する場合、１つの１２．５ｕｓの基本グループは最大９６＊４＊３０ｂｉｔのデータのみを伝送できる。従って、５Ｍセルにおいて、１つの基本グループは多くとも２つの２アンテナ非圧縮セル又は１つの４アンテナ非圧縮セルのＩＱデータを伝送でき、サンプリングポイント数が９６個である。図中、横座標をｂｙｔｅ、縦座標をｂｉｔ、各格子を１つの１ｂｉｔデータとし、Ａはアンテナ、Ｃはサンプリングポイントを示し、異なる色は異なるアンテナを示し、１つの色の領域は１つのサンプリングポイントの３０ｂｉｔデータを示す。
【００６５】
まず、アンテナ０のサンプリングポイント０のデータＡ０Ｃ０を伝送し、続いて日数１のサンプリングポイント０のデータＡ１Ｃ０、アンテナ２のサンプリングポイント０のデータＡ２Ｃ０、アンテナ３のサンプリングポイント０のデータＡ３Ｃ０を順に伝送し、次に、アンテナ０のサンプリングポイント１のデータＡ０Ｃ１、アンテナ１のサンプリングポイント１のデータＡ１Ｃ１...アンテナ２のサンプリングポイント９５のデータＡ２Ｃ９５を順に伝送し、さらにアンテナ３のサンプリングポイント９５のデータＡ３Ｃ９５を伝送する。
【００６６】
図９に示すように、本願の別の近端装置と遠端装置との間でフレームデータ伝送を行う方法の実施例のフローチャートであり、具体的には以下のステップを含む。
【００６７】
ステップ３０１：物理層ＰＨＹ変換チップが内蔵された近端装置はカスタムフレームフォーマットの基本フレームを生成する。前記基本フレームは１番目の数のスーパーグループを含み、前記スーパーグループは２番目の数の基本グループを含み、前記基本グループはＭＡＣフレーム構造データ及びフレームギャップを含む。
【００６８】
本願の実施例の好適な例として、前記ＭＡＣフレーム構造データは、アプリケーション層メッセージを伝送するように設置されるメッセージチャネルをさらに含む。
【００６９】
前記ステップ３０１は具体的には、以下のサブステップを含む。
サブステップＳ１１：前記近端装置は８Ｂ／１０Ｂ符号化によってアプリケーション層メッセージを生成する。
アプリケーション層メッセージは、アプリケーション層メッセージを伝送し、近端基地局とＲＲＵの正常情報交換、バージョンアップグレード、及びログ抽出等の機能を実現するように設置される。メッセージチャネルが各基本グループにおいて１８バイトを占有し、１０ｍｓの基本フレームにおいてアプリケーション層メッセージが１８ｂｙｔｅ＊８ｂｉｔ＊８００＝１１５２００ｂｉｔを占有するため、アプリケーション層メッセージ帯域幅を約１１．５Ｍｂｐｓとする。本願の実施例では、メッセージチャネル中のアプリケーション層メッセージが８Ｂ／１０Ｂ符号化によって生成されると決められる。
【００７０】
サブステップＳ１２：前記アプリケーション層メッセージにパケット先頭ＳＳＤ（Ｓｔａｒｔ  ｏｆ    Ｓｔｒｅａｍ  Ｄｅｌｉｍｉｔｅｒ、データストリーム開始デリミタ）インジケータとパケット末尾ＥＳＤ（Ｅｎｄ  ｏｆ  Ｓｔｒｅａｍ  Ｄｅｌｉｍｉｔｅｒ、データストリーム終了デリミタ）インジケータを設定し、前記遠端装置は、ＳＳＤが検出されると、対応するＭＡＣフレーム構造データを解析し、前記ＭＡＣフレーム構造データに巡回冗長コードＣＲＣ検査を行い、ＣＲＣ検査がただしいと、前記ＭＡＣフレーム構造データを受信し、ＣＲＣ検査エラーが発生すると、前記ＭＡＣフレーム構造データを破棄する。
【００７１】
遠端装置はリンク上にＳＳＤがあるか否かをリアルタイムに検出することで、アプリケーション層メッセージの有無を判断し、ＳＳＤが検出されると、ＭＡＣフレーム構造データを解析し、ＭＡＣフレーム構造データに巡回冗長コードＣＲＣ（Ｃｙｃｌｉｃ  Ｒｅｄｕｎｄａｎｃｙ  Ｃｏｄｅ）検査を行い、ＣＲＣ検査がただしいと、ＭＡＣフレーム構造データを受信し、ＣＲＣ検査エラーが発生すると、ＭＡＣフレーム構造データを破棄する。
【００７２】
サブステップＳ１３：前記アプリケーション層メッセージをメッセージチャネルに格納し、
近端装置がアプリケーション層メッセージを伝送する必要がある時、アプリケーション層メッセージを基本グループのメッセージチャネルに格納し、アプリケーション層メッセージを伝送する必要がない時、メッセージチャネルに０を充填する。
【００７３】
ステップ３０２：前記ＭＡＣフレーム構造データ及びフレームギャップの期間と前記物理層ＰＨＹ変換チップの出力タイミングとをマッチングする。
【００７４】
ステップ３０３：前記物理層ＰＨＹ変換チップによって、前記基本フレームをファイバ信号に変換して遠端装置に送信する。
【００７５】
ステップ３０４：前記近端装置が前記遠端装置から送信される基本フレームを受信する。前記ＭＡＣフレーム構造データは、制御ワードを伝送するように設置されるＣＭチャネルをさらに含む。
【００７６】
ＣＭ（ｃｏｎｔｒｏｌ  ｍａｎａｇｅｒｍｅｎｔ、制御管理）チャネルは主として、最下位層リンク情報、例えばワイヤレスフレームフレーム番号、ＲＲＵ  ＩＤ、パワーオフ警報及びプロトコルバージョン等の情報等を交換するように設置される。ＣＭチャネルはアプリケーション層にいくつかのアクセス情報（例えば、レートマッチング、アクセスの有無、パワーオフの有無等）、及びスレーブ装置を制御する簡単な方法（例えば、リモートパワーオフ、ネットワークケーブル切替等）を提供する。ＣＭチャネルは基本グループにおいて４バイトのみを占有し、時分割メカニズムによって各基本グループ中のＣＭチャネルを占有し、１つのスーパーグループを周期（４００ｕｓ）として循環する。
【００７７】
各スーパーグループは合計３２個の制御ワードを有し、４つの制御ワードを１組に８個のサブチャネルを作成し、サブチャネル番号をＮｓ＝０．．．７とし、各サブチャネル内の制御ワード番号をＹｓ＝０．．．３とするため、各スーパーグループ内の制御ワード番号ビットをＹ＝Ｎｓ＋８＊Ｙｓとする。具体的には、前記制御ワードは以下を含む。Ｙ０：Ｋ２８．５フィールドを伝送し、スーパーグループの開始を指示するように設置され、ほかの制御フィールドの内容が該フィールド同じであってはならない。Ｙ１：現在のプロトコルバージョン番号を伝送する。Ｙ２：ＲＲＵＩＤ更新方式を伝送し、逓増又は逓減する。Ｙ３：遠端装置のパワーオフ警報情報を伝送する。Ｙ４：現在送信しているメッセージパケット計数情報を伝送し、受信側メッセージパケット伝送の監視を行う。Ｙ８：スーパーグループ番号を伝送し、ワイヤレスフレームの開始を指示するように設置される。Ｙ９：遠端装置リセット信号を伝送する。Ｙ１０：Ｙ２、Ｙ１８、Ｙ２６三者のＸＯＲ値を伝送する。Ｙ１１：近端装置が遠端装置に通知するリンクループバック命令等を伝送する。Ｙ１６：ワイヤレスフレーム番号、下位バイトを伝送する。Ｙ１７：遠端装置の上り・下り内部遅延値の和を伝送し、単位が個／ｃｌｋである。Ｙ１８：ＲＲＵＩＤを伝送する。Ｙ１９：近端装置が遠端装置に通知するネットワークポート切り替え命令を伝送する。Ｙ２４：ワイヤレスフレーム番号、上位バイトを伝送する。Ｙ２５：ネットワークケーブルリンク遅延値を伝送する。Ｙ２６：ＲＲＵＩＤ有効範囲値を伝送する。Ｙ２７：近端装置ネットワークポート番号を伝送する。ほかのフィールドは予約される。
【００７８】
本願の実施例の好適な例として、前記ステップ３０４は具体的には、以下のサブステップを含む。
サブステップＳ２１：前記近端装置が前記遠端装置から送信されるファイバ信号を受信する。
サブステップＳ２２：前記物理層ＰＨＹ変換チップによって、前記ファイバ信号を基本フレームに復元する。
【００７９】
ステップ３０５：前記遠端装置から送信される基本フレームの基本グループのＣＭチャネルから、遠端装置の内部上り・下り遅延値を示すように設置される第１制御ワードを抽出する。遠端装置の内部上り・下り遅延値は、近端装置とネットワークケーブルの上り・下り遅延値を示す。第１制御ワードは具体的には上記制御ワード中のＹ１７制御ワードであってもよい。
【００８０】
ステップ３０６：近端装置の内部上り・下り遅延値を算出する。
近端装置の内部上り・下り遅延値は、遠端装置とネットワークケーブルの上り・下り遅延値を示す。
【００８１】
ステップ３０７：前記近端装置の内部上り・下り遅延値、及び前記遠端装置の内部上り・下り遅延値に基づき、リンク遅延値を算出する。
具体的には、リンク遅延値＝（近端装置の内部上り・下り遅延値−遠端装置の内部上り・下り遅延値）／２である。
【００８２】
ステップ３０８：リンク遅延値に応じて、フレームヘッダーを読み書きするタイミングを調整する。
リンク遅延値を算出した後、近端装置のフレームヘッダー管理モジュールに出力し、内蔵バッファプールがフレームヘッダーを読み書きするタイミングを調整する。
【００８３】
本願の実施例の好適な例として、前記近端装置が前記遠端装置に送信する基本フレームの基本グループのＣＭチャネルには、前記リンク遅延値を示すように設置される第２制御ワードをさらに含み、前記遠端装置は前記第２制御ワードによってワイヤレスフレームヘッダーを復元するように設置される。
【００８４】
本願の実施例の好適な例として、前記方法は、以下のステップをさらに含む。
ステップ３０９：前記近端装置は、前記近端装置のフレームヘッダーであるローカルフレームヘッダーと、前記遠端装置のフレームヘッダーであるチャネル連携フレームヘッダーとの相対位置を取得する。
ローカルフレームヘッダーは近端装置自体のクロックによって生成されるフレームヘッダーであり、チャネル連携フレームヘッダーはほかの装置がネットワークケーブルを介して伝送してきたデータを解析して復元できるフレームヘッダーであり、両者が遠すぎてはならず、さもないと、データを伝送できない。
【００８５】
ステップ３１０：前記相対位置に基づき、前記遠端装置とフレームヘッダー同期を行う。
【００８６】
本願の実施例では、フレームヘッダー同期用のステートマシンは、同期外れ状態、スーパーグループ同期状態、ワイヤレスフレーム同期状態を含む。同期外れ状態はすなわち初期状態であり、スーパーグループのフレームヘッダーが同期していないことを示す。スーパーグループ同期状態は、装置が毎回、所望の位置でスーパーグループフレームヘッダーを検出できることを示し、各スーパーグループ間のスーパーグループ番号が連続し、スーパーグループが０〜２４であるため、ＳＧＮが２４から０に変わる時に連続的であると考えられる。該状態に入った後、遠端はＣＭチャネル、メッセージチャネルを解析し、スーパーグループに基づきワイヤレスフレームヘッダーを復元することができる。ワイヤレスフレーム同期状態は、近端装置がローカルワイヤレスフレームヘッダーに応じて誤差範囲δ内にワイヤレスフレームヘッダーを検索できることを示す。該状態に入った後、受信側はベースバンドデータを正常に伝送できる。
【００８７】
本願の実施例の好適な例として、前記方法は、以下のステップをさらに含む。
ステップ３１１：前記近端装置は、前記遠端装置から送信される基本フレームの基本グループのＣＭチャネルから、スーパーグループのフレームヘッダー開始位置を示すように設置される第３制御ワードを抽出する。
具体的な前記第３制御ワードは上記制御ワード中のＹ０であり、Ｋ２８．５フィールドを伝送し、かつスーパーグループの開始を指示するように設置され、スーパーグループの開始はスーパーグループフレームヘッダーの開始位置である。
【００８８】
前記ステップ３０９は具体的に以下のサブステップを含む。
サブステップＳ３１：前記第３制御ワードに基づき、ローカルフレームヘッダーとチャネル連携フレームヘッダーとの相対位置を算出する。
遠端装置から送信される基本フレームの基本グループのＣＭチャネル中の第３制御ワードに基づき、遠端装置のフレームヘッダー位置、すなわちチャネル連携フレームヘッダーの位置を特定する。ローカルフレームヘッダーの位置、及びチャネル連携フレームヘッダーの位置に基づき、相対位置を算出する。
【００８９】
図１０に示すように、本願の実施例における同期ステートマシンのフローチャートである。
【００９０】
ステートマシンは、同期外れ状態、スーパーグループ同期状態、ワイヤレスフレーム同期状態の３種類の状態を含む。近端装置のパワーオン／リセット時又はＬＯＳ（ｌｏｓｓ  ｏｆ  ｓｙｎｃｈｒｏｎｉｚａｔｉｏｎ、同期外れ）＝１の時、ステートマシンが同期外れ状態ＬＯＳであり、Ｓｙｎｃ＿Ｃｏｕｎｔｅｒ（Ｓｙｎｃｈｒｏｎｏｕｓ  Ｃｏｍｍｕｎｉｃａｔｉｏｎ、同期通信）＝ＳＹＮＣ＿Ｎ且つＳＧＮ＿Ｃｏｕｎｔｅｒ＝ＳＧＮ＿Ｎ（ＳＧＮ＝ｓｕｐｅｒ  ｇｒｏｕｐ  ｎｕｍｂｅｒスーパーグループ番号）の時、ステートマシンが同期外れ状態からスーパーグループ同期状態に変わり、Ｌｏｓｓ  Ｃｏｍｍａ  （Ｃｏｍｍａは光リンクを介して伝送される特殊符号化データであり、Ｋ２８．５同期ワードを示すためのものである）又は  Ｌｏｓｓ  ＳＧＮの時、ステートマシンがスーパーグループ同期状態から同期外れ状態に変わり、ワイヤレスフレームヘッダーとローカルフレームヘッダーとの相対位置が誤差範囲よりも小さい時、ステートマシンがスーパーグループ同期状態からワイヤレスフレーム同期状態に変わり、ワイヤレスフレームヘッダーとローカルフレームヘッダーとの相対位置が誤差範囲よりも大きい時、ステートマシンがワイヤレスフレーム同期状態からスーパーグループ同期状態に変わり、Ｌｏｓｓ  Ｃｏｍｍａ又はＬｏｓｓ  ＳＧＮの時、ステートマシンがワイヤレスフレーム同期状態から同期外れ状態に変わる。
【００９１】
図１１に示すように、本願の実施例におけるリンク遅延値の算出方法の模式図である。近端装置は、近端送信側及び近端受信側を含む。遠端装置は遠端送信側及び遠端受信側を含む。
【００９２】
リンク遅延値は近端送信側から送信される１つの基本フレームが遠端受信側に到達する遅延、又は遠端装置から送信される１つの基本フレームが近端装置に到達する遅延である。リンク遅延値は以下の式によって算出される。
リンク遅延値＝（近端装置の内部上り・下り遅延値−遠端装置の内部上り・下り遅延値）／２
【００９３】
近端装置の内部上り・下り遅延値は、近端送信側が１つの基本フレームを送信し、順に遠端受信側、遠端送信側、近端受信側を経過する時間であり、遅延器は近端送信側が基本フレームを送信する時点に計時を開始し、近端受信側が基本フレームを受信するまで計時を停止する。
【００９４】
遠端装置の内部上り・下り遅延値は、遠端送信側から１つの基本フレームが送信され、順に近端受信側、近端送信側、遠端受信側を経過する時間であり、遅延器は遠端送信側が基本フレームを送信する時点に計時を開始し、遠端受信側が基本フレームを受信するまで計時を停止する。
【００９５】
図１２に示すように、本願の一実施例に係る近端装置と遠端装置との間でフレームデータ伝送を行う方法のフローチャートであり、具体的には以下のステップを含む。
【００９６】
ステップ４０１：物理層ＰＨＹ変換チップが内蔵された遠端装置は近端装置から送信されるファイバ信号を受信する。
本願の実施例では、遠端装置は具体的にはＲＲＵ、近端装置は具体的には基地局である。ＲＲＵは基地局がファイバを介して送信してきたファイバ信号を受信する。
【００９７】
ステップ４０２：前記物理層ＰＨＹ変換チップによって、所定の出力タイミングで前記ファイバ信号を基本フレームに復元する。前記基本フレームは１番目の数のスーパーグループを含み、前記スーパーグループは２番目の数の基本グループを含み、前記基本グループはＭＡＣフレーム構造データ及びフレームギャップを含み、前記物理層ＰＨＹ変換チップの出力タイミングが前記ＭＡＣフレーム構造データ及びフレームギャップの期間にマッチングする。
【００９８】
ＲＲＵ内部のＰＨＹ変換チップによってファイバ信号を基本フレームに復元する。
【００９９】
図１３に示すように、本願の別の実施例に係る近端装置と遠端装置との間でフレームデータ伝送を行う方法のフローチャートであり、具体的には、以下のステップを含む。
【０１００】
ステップ５０１：物理層ＰＨＹ変換チップが内蔵された遠端装置は近端装置から送信されるファイバ信号を受信する。
本願の実施例では、遠端装置は具体的にはＲＲＵ、近端装置は具体的には基地局である。ＲＲＵは基地局がファイバを介して送信してきたファイバ信号を受信する。
【０１０１】
ステップ５０２：前記物理層ＰＨＹ変換チップによって、所定の出力タイミングで前記ファイバ信号を基本フレームに復元する。前記基本フレームは１番目の数のスーパーグループを含み、前記スーパーグループは２番目の数の基本グループを含み、前記基本グループはＭＡＣフレーム構造データ及びフレームギャップを含み、前記物理層ＰＨＹ変換チップの出力タイミングが前記ＭＡＣフレーム構造データ及びフレームギャップの期間にマッチングする。
【０１０２】
ＲＲＵ内部のＰＨＹ変換チップによってファイバ信号を基本フレームに復元する。
【０１０３】
ステップ５０３：前記遠端装置が遠端装置の内部上り・下り遅延値を算出する。
遠端装置の内部上り・下り遅延値は、近端装置とネットワークケーブルの上り・下り遅延値を示す。
【０１０４】
ステップ５０４：前記遠端装置の内部上り・下り遅延値によって、遠端装置の内部上り・下り遅延値を示すように設置される第１制御ワードを生成する。
第１制御ワードは具体的には、上記制御ワード中のＹ１７制御ワードであってもよい。
【０１０５】
ステップ５０５：前記第１制御ワードを基本フレームの基本グループのＣＭチャネルに格納し、基本フレームを生成する。
ＲＲＵは基本フレームを生成する時、第１制御ワードを基本フレームの基本グループのＣＭチャネルに格納する。
【０１０６】
ステップ５０６：前記物理層ＰＨＹ変換チップによって、前記第１制御ワードを有する基本フレームを前記近端装置に送信し、前記近端装置は前記第１制御ワードに基づき近端装置のリンク遅延値を算出するように設置される。
ＲＲＵのＰＨＹ変換チップは基本フレームをファイバ信号に変換して基地局に送信する。基地局のＰＨＹ変換チップはファイバ信号を基本フレームに復元し、基本フレームの基本グループのＣＭチャネルから第１制御ワードを抽出し、第１制御ワードに基づきＲＲＵの内部上り・下り遅延値を取得する。基地局はそれ自体の内部上り・下り遅延値及びＲＲＵの内部上り・下り遅延値に基づき、リンク遅延値を算出する。
【０１０７】
本願の実施例の好適な例として、前記方法は、以下のステップをさらに含む。
ステップ５０７：前記近端装置から送信される基本フレームの基本グループのＣＭチャネルから、前記リンク遅延値を示すように設置される第２制御ワードを抽出する。
基地局はリンク遅延値に基づき、第２制御ワードを生成して基本フレームの基本グループのＣＭチャネルに格納する。
【０１０８】
ＲＲＵは基地局から送信される基本フレームの基本グループのＣＭチャネルから第２制御ワードを抽出する。
【０１０９】
ステップ５０８：前記第２制御ワードによってワイヤレスフレームヘッダーを復元する。
ＲＲＵはリンク遅延値に基づきワイヤレスフレームヘッダーを復元する。
【０１１０】
本願の実施例の好適な例として、前記方法は、以下のステップをさらに含む。
ステップ５０９：リンク上にアプリケーション層メッセージのパケット先頭ＳＳＤがあるか否かを検出する。
ＰＨＹ変換チップはファイバ信号をリンク層データに復元し、遠端装置はリンク上にアプリケーション層メッセージのパケット先頭ＳＳＤがあるか否かを検出する。
【０１１１】
ステップ５１０：パケット先頭ＳＳＤが検出されると、アプリケーション層情報ペアのＭＡＣフレーム構造データを解析し、前記ＭＡＣフレーム構造データに巡回冗長コードＣＲＣ検査を行う。
【０１１２】
ステップ５１１：ＣＲＣ検査がただしいと、前記ＭＡＣフレーム構造データを受信する。
【０１１３】
ステップ５１２：ＣＲＣ検査エラーが発生すると、前記ＭＡＣフレーム構造データを破棄する。
【０１１４】
遠端装置はリンク上にＳＳＤがあるか否かをリアルタイムに検出することで、アプリケーション層メッセージの有無を判断し、ＳＳＤが検出されると、ＭＡＣフレーム構造データを解析し、ＭＡＣフレーム構造データに巡回冗長コードＣＲＣ（Ｃｙｃｌｉｃ  Ｒｅｄｕｎｄａｎｃｙ  Ｃｏｄｅ）検査を行い、ＣＲＣ検査がただしいと、ＭＡＣフレーム構造データを受信し、ＣＲＣ検査エラーが発生すると、ＭＡＣフレーム構造データを破棄する。
【０１１５】
本願の実施例の好適な例として、前記遠端装置が前記近端に送信する基本フレームの基本グループのＣＭチャネルには、スーパーグループのフレームヘッダー開始位置を示すように設置される第３制御ワードを含む。
【０１１６】
基地局はＲＲＵから送信される基本フレームの基本グループのＣＭチャネル中の第３制御ワードに基づき、ＲＲＵのフレームヘッダー位置、すなわちチャネル連携フレームヘッダーの位置を特定する。基地局はローカルフレームヘッダーとチャネル連携フレームヘッダーとの相対位置を算出して、ＲＲＵとフレームヘッダー同期を行う。
【０１１７】
なお、方法の実施例について、説明の便宜上、一連の動作の組合せとして説明されたが、当業者であれば、本願の実施例は説明した動作順序に制限されるものではないと理解でき、本願の実施例によれば、いくつかのステップはほかの順序又は同時に実行されてもよい。また、当業者であれば、明細書に説明される実施例はすべて好適な実施例であり、係る動作は必ずしも本願の実施例に必須なものではないことも理解できる。
【０１１８】
図１４に示すように、本願に係る近端装置と遠端装置との間でフレームデータ伝送を行う装置の実施例の構造ブロック図であり、具体的には、前記近端装置に位置する近端生成モジュール６１、前記近端装置に位置する近端マッチングモジュール６２、及び前記近端装置に位置する近端送信モジュール６３を備える。
【０１１９】
前記近端装置に位置する近端生成モジュール６１は、カスタムフレームフォーマットの基本フレームを生成するように設置され、前記近端装置は物理層ＰＨＹ変換チップが内蔵され、前記基本フレームは１番目の数のスーパーグループを含み、前記スーパーグループは２番目の数の基本グループを含み、前記基本グループはＭＡＣフレーム構造データ及びフレームギャップを含み、
前記近端装置に位置する近端マッチングモジュール６２は、前記ＭＡＣフレーム構造データ及びフレームギャップの期間と前記物理層ＰＨＹ変換チップの出力タイミングとをマッチングするように設置され、
前記近端装置に位置する近端送信モジュール６３は、前記物理層ＰＨＹ変換チップによって、前記基本フレームをファイバ信号に変換して遠端装置に送信するように設置される。
【０１２０】
本願の実施例の好適な例として、前記ＭＡＣフレーム構造データはＩＱデータを含み、
前記近端生成モジュールは、
アンテナのサンプリングポイントのＩＱデータを取得するように設置される近端ＩＱデータ取得サブモジュールと、
所定のフォーマット順でアンテナのサンプリングポイントのＩＱデータを基本フレームの各基本グループに格納するように設置される近端ＩＱデータ格納サブモジュールと、を備える。
【０１２１】
本願の実施例の好適な例として、前記ＭＡＣフレーム構造データは、制御ワードを伝送するように設置されるＣＭチャネルをさらに含み、前記装置は、
前記近端装置に位置し、前記遠端装置から送信される基本フレームを受信するように設置される近端受信モジュールと、
前記近端装置に位置し、前記遠端装置から送信される基本フレームの基本グループのＣＭチャネルから、遠端装置の内部上り・下り遅延値を示すように設置される第１制御ワードを抽出するように設置される近端第１制御ワード抽出モジュールと、
前記近端装置に位置し、近端装置の内部上り・下り遅延値を算出するように設置される近端遅延算出モジュールと、
前記近端装置に位置し、前記近端装置の内部上り・下り遅延値、及び前記遠端装置の内部上り・下り遅延値に基づき、リンク遅延値を算出するように設置されるリンク遅延算出モジュールと、
前記近端装置に位置し、リンク遅延値に応じて、フレームヘッダーを読み書きするタイミングを調整するように設置される近端タイミング調整モジュールと、をさらに備える。
【０１２２】
本願の実施例の好適な例として、前記近端受信モジュールは、
前記遠端装置から送信されるファイバ信号を受信するように設置される近端ファイバ信号受信サブモジュールと、
前記物理層ＰＨＹ変換チップによって、前記ファイバ信号を基本フレームに復元するように設置される近端基本フレーム復元サブモジュールと、を備える。
【０１２３】
本願の実施例の好適な例として、前記近端装置が前記遠端装置に送信する基本フレームの基本グループのＣＭチャネルには、前記リンク遅延値を示すように設置される第２制御ワードをさらに含み、前記遠端装置は前記第２制御ワードによってワイヤレスフレームヘッダーを復元する。
【０１２４】
本願の実施例の好適な例として、前記ＭＡＣフレーム構造データは、アプリケーション層メッセージを伝送するように設置されるメッセージチャネルをさらに含み、
前記近端生成モジュールは、
８Ｂ／１０Ｂ符号化によってアプリケーション層メッセージを生成するように設置される近端アプリケーション層メッセージ生成サブモジュールと、
前記アプリケーション層メッセージに対してパケット先頭ＳＳＤインジケータとパケット末尾ＥＳＤインジケータを設定するように設置される近端インジケータ設定サブモジュールであって、前記遠端装置は、ＳＳＤが検出されると、対応するＭＡＣフレーム構造データを解析し、前記ＭＡＣフレーム構造データに巡回冗長コードＣＲＣ検査を行い、ＣＲＣ検査がただしいと、前記ＭＡＣフレーム構造データを受信し、ＣＲＣ検査エラーが発生すると、前記ＭＡＣフレーム構造データを破棄するように設置される近端インジケータ設定サブモジュールと、
前記アプリケーション層メッセージをメッセージチャネルに格納するように設置される近端アプリケーション層メッセージ格納サブモジュールと、を備える。
【０１２５】
本願の実施例の好適な例として、前記装置は、
前記近端装置に位置し、前記近端装置のフレームヘッダーであるローカルフレームヘッダーと、前記遠端装置のフレームヘッダーであるチャネル連携フレームヘッダーとの相対位置を取得するように設置されるフレームヘッダー相対位置取得モジュールと、
前記近端装置に位置し、前記相対位置に基づき、前記遠端装置とフレームヘッダー同期を行うように設置される近端フレームヘッダー同期モジュールと、をさらに備える。
【０１２６】
本願の実施例の好適な例として、前記装置は、
前記近端装置に位置し、前記遠端装置から送信される基本フレームの基本グループのＣＭチャネルから、スーパーグループのフレームヘッダー開始位置を示すように設置される第３制御ワードを抽出するように設置される近端第３制御ワード抽出モジュールをさらに備え、
前記フレームヘッダー相対位置取得モジュールは、
前記第３制御ワードに基づき、ローカルフレームヘッダーとチャネル連携フレームヘッダーとの相対位置を算出するように設置される近端相対位置算出サブモジュールを備える。
【０１２７】
図１５に示すように、本願に係る別の近端装置と遠端装置との間でフレームデータ伝送を行う装置の実施例の構造ブロック図であり、具体的には、前記遠端装置に位置する遠端受信モジュール７１、及び前記遠端装置に位置する遠端復元モジュール７２を備え、
前記遠端装置に位置する遠端受信モジュール７１は、近端装置から送信されるファイバ信号を受信するように設置され、前記遠端装置には物理層ＰＨＹ変換チップが内蔵された
前記遠端装置に位置する遠端復元モジュール７２は、前記物理層ＰＨＹ変換チップによって、所定の出力タイミングで前記ファイバ信号を基本フレームに復元し、前記基本フレームは１番目の数のスーパーグループを含み、前記スーパーグループは２番目の数の基本グループを含み、前記基本グループはＭＡＣフレーム構造データ及びフレームギャップを含み、前記物理層ＰＨＹ変換チップの出力タイミングが前記ＭＡＣフレーム構造データ及びフレームギャップの期間にマッチングする。
【０１２８】
本願の実施例の好適な例として、前記ＭＡＣフレーム構造データはＣＭチャネルを含み、前記装置は、
前記遠端装置に位置し、遠端装置の内部上り・下り遅延値を算出するように設置される遠端遅延算出モジュールと、
前記遠端装置に位置し、前記遠端装置の内部上り・下り遅延値によって、遠端装置の内部上り・下り遅延値を示すように設置される第１制御ワードを生成するように設置される遠端第１制御ワード生成モジュールと、
前記遠端装置に位置し、前記第１制御ワードを基本フレームの基本グループのＣＭチャネルに格納し、基本フレームを生成するように設置される遠端基本フレーム生成モジュールと、
前記遠端装置に位置し、前記物理層ＰＨＹ変換チップによって、前記第１制御ワードを有する基本フレームを前記近端装置に送信するように設置される遠端基本フレーム送信モジュールと、をさらに備え、前記近端装置は前記第１制御ワードに基づき近端装置のリンク遅延値を算出するように設置される。
【０１２９】
本願の実施例の好適な例として、前記装置は、
前記遠端装置に位置し、前記近端装置から送信される基本フレームの基本グループのＣＭチャネルから、前記リンク遅延値を示すように設置される第２制御ワードを抽出するように設置される第２制御ワード抽出モジュールと、
前記遠端装置に位置し、前記第２制御ワードによってワイヤレスフレームヘッダーを復元するように設置される遠端ワイヤレスフレームヘッダー復元モジュールと、をさらに備える。
【０１３０】
本願の実施例の好適な例として、前記装置は、
前記遠端装置に位置し、リンク上にアプリケーション層メッセージのパケット先頭ＳＳＤがあるか否かを検出するように設置される遠端ＳＳＤ検出モジュールと、
前記遠端装置に位置し、パケット先頭ＳＳＤが検出されると、アプリケーション層情報ペアのＭＡＣフレーム構造データを解析し、前記ＭＡＣフレーム構造データに巡回冗長コードＣＲＣ検査を行うように設置される遠端ＣＲＣ検査モジュールと、
前記遠端装置に位置し、ＣＲＣ検査がただしいと、前記ＭＡＣフレーム構造データを受信するように設置される遠端データ受信モジュールと、
前記遠端装置に位置し、ＣＲＣ検査エラーが発生すると、前記ＭＡＣフレーム構造データを破棄するように設置される遠端データ破棄モジュールと、をさらに備える。
【０１３１】
本願の実施例の好適な例として、前記遠端装置が前記近端に送信する基本フレームの基本グループのＣＭチャネルには、スーパーグループのフレームヘッダー開始位置を示すように設置される第３制御ワードを含む。
【０１３２】
装置の実施例について、方法の実施例と基本的に類似するため、簡単に説明されており、関連部分は方法の実施例の部分についての説明を参照すればよい。
【０１３３】
本願の実施例は、上記方法を実行するためのプログラムを記録したコンピュータ可読記録媒体がさらに開示された。
【０１３４】
前記コンピュータ可読記録媒体は、コンピュータ（例えばコンピュータ）に読み取り可能な形式で情報を記憶又は伝送する任意のメカニズムを含む。例えば、機械可読媒体は読み取り専用メモリ（ＲＯＭ）、ランダムアクセスメモリ（ＲＡＭ）、ディスク記憶媒体、光学記憶媒体、フラッシュストレージメディア、電気的、光学的、音響的又は他の形態の伝搬信号（例えば、キャリア、赤外線信号、デジタル信号等）等を含む。
【０１３５】
本明細書における各実施例は漸進的に説明され、各実施例のほかの実施例に対する相違点が重点的に説明され、各実施例の同様や類似部分は相互に参照すればよい。
【０１３６】
当業者であれば、本願の実施例は方法、装置、又はコンピュータプログラム製品として提供できると理解されるべきである。従って、本願の実施例は完全なハードウェア実施例、完全なソフトウェア実施例、又はソフトウェアとハードウェアを組み合わせた実施例の形態であってもよい。また、本願の実施例は、コンピュータ使用可能プログラムコードを含む１つ又は複数のコンピュータ使用可能記憶媒体（ディスクメモリ、ＣＤ−ＲＯＭ、光学記憶媒体等を含むが、それらに限定されない）で実施されるコンピュータプログラム製品の形態であってもよい。
【０１３７】
本願の実施例は本願の実施例に係る方法、端末装置（システム）、及びコンピュータプログラム製品のフローチャート及び／又はブロック図を参照して説明される。コンピュータプログラム命令によってフローチャート及び／又はブロック図中の各ステップ及び／又はブロック、及びフローチャート及び／又はブロック図中のステップ及び／又はブロックの組み合わせを実現できると理解されるべきである。これらのコンピュータプログラム命令を汎用コンピュータ、専用コンピュータ、組み込みプロセッサやほかのプログラマブルデータ処理端末装置のプロセッサに提供して機器を構成し、このように、コンピュータ又はほかのプログラマブルデータ処理端末装置のプロセッサに実行される命令よって、フローチャートの１つのステップ又は複数のステップ及び／又はブロック図の１つのブロック又は複数のブロックに指定される機能を実現するための装置を構成することができる。
【０１３８】
これらのコンピュータプログラム命令は、コンピュータ又はほかのプログラマブルデータ処理端末装置が特定の方式で動作するようにガイドできるコンピュータ可読メモリに記憶されてもよく、このように、該コンピュータ可読メモリに記憶された命令によって、フローチャートの１つのステップ又は複数のステップ及び／又はブロック図の１つのブロック又は複数のブロックに指定される機能を実現するための命令装置を含む製品を構成する。
【０１３９】
これらのコンピュータプログラム命令は、コンピュータ又はほかのプログラマブルデータ処理端末装置にロードされてもよく、このように、コンピュータ又はほかのプログラマブル端末装置で一連の操作ステップを実行して、コンピュータが実現する処理を生成し、それによりコンピュータ又はほかのプログラマブル端末装置で実行される命令は、フローチャートの１つのステップ又は複数のステップ及び／又はブロック図の１つのブロック又は複数のブロックに指定される機能を実現するためのステップを提供する。
【０１４０】
本願の実施例の好適実施例を説明したが、当業者は基本的な進歩性のある概念を把握するだけで、これらの実施例に様々な変更や変形を行うことができる。従って、添付する特許請求の範囲は、好適実施例及び本願の実施例の範囲に属するすべての変更や変形を含む。
【０１４１】
なお、本明細書では、第１、第２等のような関係用語は、１つの実体又は操作を別の実体又は操作から区別することのみを意図するが、これらの実体又は操作間に何らかの実際の関係又は順序があることを要求又は示唆するものではない。また、用語「備える」、「含む」又はほかのいかなる変形は、非排他的な包含をカバーすることが意図されており、これにより一連の要素を含むプロセス、方法、製品又は端末装置が係る要素を含むだけではなく、明示的に指定されていない他の要素を含み、或いはこのプロセス、方法、製品又は端末装置に固有の要素をさらに含む。より多くの制限がない場合、「１つの...を含む）」によって制限される要素は、前記要素を含むプロセス、方法、製品又は端末装置における他の同じ要素の存在を排除しない。
【０１４２】
以上、本願に係る近端装置と遠端装置との間でフレームデータ伝送を行う方法、及び近端装置と遠端装置との間でフレームデータ伝送を行う装置を詳細に説明し、本明細書では具体例を挙げて本願の原理及び実施形態を説明したが、上記実施例についての説明は本願の方法及びその中心思想を理解するためのものに過ぎず、当業者は、本願の思想に基づき、実施形態及び適用範囲に様々な変更を行うことができ、従って、本明細書は本願を限定するものではないと理解すべきである。
【図１】
2019524036.tif 000003
【図２】
2019524036.tif 000004
【図３】
2019524036.tif 000005
【図４】
2019524036.tif 000006
【図５】
2019524036.tif 000007
【図６】
2019524036.tif 000008
【図７】
2019524036.tif 000009
【図８】
2019524036.tif 000010
【図９】
2019524036.tif 000011
【図１０】
2019524036.tif 000012
【図１１】
2019524036.tif 000013
【図１２】
2019524036.tif 000014
【図１３】
2019524036.tif 000015
【図１４】
2019524036.tif 000016
【図１５】
2019524036.tif 000017
【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
近端装置と遠端装置との間でフレームデータ伝送を行う方法であって、
物理層ＰＨＹ変換チップが内蔵された近端装置はカスタムフレームフォーマットの基本フレームを生成し、前記基本フレームは１番目の数のスーパーグループを含み、前記スーパーグループは２番目の数の基本グループを含み、前記基本グループはメディアアクセス制御ＭＡＣフレーム構造データ及びフレームギャップを含むステップと、
前記ＭＡＣフレーム構造データ及びフレームギャップの期間と前記物理層ＰＨＹ変換チップの出力タイミングとをマッチングするステップと、
前記物理層ＰＨＹ変換チップによって、前記基本フレームをファイバ信号に変換して遠端装置に送信するステップと、を含むことを特徴とする方法。
【請求項２】
前記ＭＡＣフレーム構造データはＩＱデータを含み、
前記近端装置がカスタムフレームフォーマットの基本フレームを生成するステップは、
前記近端装置がアンテナのサンプリングポイントのＩＱデータを取得するステップと、
所定のフォーマット順でアンテナのサンプリングポイントのＩＱデータを基本フレームの各基本グループに格納するステップと、を含むことを特徴とする請求項１に記載の方法。
【請求項３】
前記ＭＡＣフレーム構造データは、制御ワードを伝送するように設置される制御管理ＣＭチャネルを含み、
前記方法は、
前記近端装置が前記遠端装置から送信される基本フレームを受信するステップと、
前記遠端装置から送信される基本フレームの基本グループのＣＭチャネルから、遠端装置の内部上り・下り遅延値を示すように設置される第１制御ワードを抽出するステップと、
近端装置の内部上り・下り遅延値を算出するステップと、
前記近端装置の内部上り・下り遅延値、及び前記遠端装置の内部上り・下り遅延値に基づき、リンク遅延値を算出するステップと、
リンク遅延値に応じて、フレームヘッダーを読み書きするタイミングを調整するステップと、をさらに含むことを特徴とする請求項１に記載の方法。
【請求項４】
前記近端装置が前記遠端装置から送信される基本フレームを受信するステップは、
前記近端装置が前記遠端装置から送信されるファイバ信号を受信するステップと、
前記物理層ＰＨＹ変換チップによって、前記ファイバ信号を基本フレームに復元するステップと、を含むことを特徴とする請求項３に記載の方法。
【請求項５】
前記近端装置が前記遠端装置に送信する基本フレームの基本グループのＣＭチャネルには、前記リンク遅延値を示すように設置される第２制御ワードをさらに含み、前記遠端装置は前記第２制御ワードによってワイヤレスフレームヘッダーを復元するように設置されることを特徴とする請求項３又は４に記載の方法。
【請求項６】
前記ＭＡＣフレーム構造データは、アプリケーション層メッセージを伝送するように設置されるメッセージチャネルを含み、
前記近端装置がカスタムフレームフォーマットの基本フレームを生成するステップは、
前記近端装置が８Ｂ／１０Ｂ符号化によってアプリケーション層メッセージを生成するステップと、
前記アプリケーション層メッセージに対してパケット先頭ＳＳＤインジケータとパケット末尾ＥＳＤインジケータを設定し、前記遠端装置は、ＳＳＤが検出されると、対応するＭＡＣフレーム構造データを解析し、前記ＭＡＣフレーム構造データに巡回冗長コードＣＲＣ検査を行い、ＣＲＣ検査がただしいと、前記ＭＡＣフレーム構造データを受信し、ＣＲＣ検査エラーが発生すると、前記ＭＡＣフレーム構造データを破棄するステップと、
前記アプリケーション層メッセージをメッセージチャネルに格納するステップと、を含むことを特徴とする請求項１に記載の方法。
【請求項７】
前記近端装置は、前記近端装置のフレームヘッダーであるローカルフレームヘッダーと、前記遠端装置のフレームヘッダーであるチャネル連携フレームヘッダーとの相対位置を取得するステップと、
前記相対位置に基づき、前記遠端装置とフレームヘッダー同期を行うステップと、をさらに含むことを特徴とする請求項５に記載の方法。
【請求項８】
前記近端装置は、前記遠端装置から送信される基本フレームの基本グループのＣＭチャネルから、スーパーグループのフレームヘッダー開始位置を示すように設置される第３制御ワードを抽出するステップをさらに含み、
前記近端装置がローカルフレームヘッダーと、チャネル連携フレームヘッダーとの相対位置を取得するステップは、
前記第３制御ワードに基づき、ローカルフレームヘッダーとチャネル連携フレームヘッダーとの相対位置を算出するステップを含むことを特徴とする請求項７に記載の方法。
【請求項９】
近端装置と遠端装置との間でフレームデータ伝送を行う方法であって、
物理層ＰＨＹ変換チップが内蔵された遠端装置は近端装置から送信されるファイバ信号を受信するステップと、
前記物理層ＰＨＹ変換チップによって、所定の出力タイミングで前記ファイバ信号を基本フレームに復元し、前記基本フレームが１番目の数のスーパーグループを含み、前記スーパーグループが２番目の数の基本グループを含み、前記基本グループがＭＡＣフレーム構造データ及びフレームギャップを含むステップと、を含み、
前記物理層ＰＨＹ変換チップの出力タイミングが前記ＭＡＣフレーム構造データ及びフレームギャップの期間にマッチングすることを特徴とする方法。
【請求項１０】
前記ＭＡＣフレーム構造データはＣＭチャネルを含み、
前記方法は、
前記遠端装置が遠端装置の内部上り・下り遅延値を算出するステップと、
前記遠端装置の内部上り・下り遅延値によって、遠端装置の内部上り・下り遅延値を示すように設置される第１制御ワードを生成するステップと、
前記第１制御ワードを基本フレームの基本グループのＣＭチャネルに格納し、基本フレームを生成するステップと、
前記物理層ＰＨＹ変換チップによって、前記第１制御ワードを有する基本フレームを前記近端装置に送信し、前記近端装置は前記第１制御ワードに基づき近端装置のリンク遅延値を算出するステップと、をさらに含むことを特徴とする請求項９に記載の方法。
【請求項１１】
前記遠端装置は、前記近端装置から送信される基本フレームの基本グループのＣＭチャネルから、前記リンク遅延値を示すように設置される第２制御ワードを抽出するステップと、
前記第２制御ワードによってワイヤレスフレームヘッダーを復元するステップと、をさらに含むことを特徴とする請求項１０に記載の方法。
【請求項１２】
前記遠端装置は、リンク上にアプリケーション層メッセージのパケット先頭ＳＳＤがあるか否かを検出するステップと、
パケット先頭ＳＳＤが検出されると、アプリケーション層情報ペアのＭＡＣフレーム構造データを解析し、前記ＭＡＣフレーム構造データに巡回冗長コードＣＲＣ検査を行うステップと、
ＣＲＣ検査がただしいと、前記ＭＡＣフレーム構造データを受信するステップと、
ＣＲＣ検査エラーが発生すると、前記ＭＡＣフレーム構造データを破棄するステップと、をさらに含むことを特徴とする請求項９に記載の方法。
【請求項１３】
前記遠端装置が前記近端に送信する基本フレームの基本グループのＣＭチャネルには、スーパーグループのフレームヘッダー開始位置を示すように設置される第３制御ワードを含むことを特徴とする請求項１０に記載の方法。
【請求項１４】
近端装置と遠端装置との間でフレームデータ伝送を行う装置であって、
物理層ＰＨＹ変換チップが内蔵された前記近端装置に位置し、カスタムフレームフォーマットの基本フレームを生成するように設置され、前記基本フレームが１番目の数のスーパーグループを含み、前記スーパーグループが２番目の数の基本グループを含み、前記基本グループがＭＡＣフレーム構造データ及びフレームギャップを含む近端生成モジュールと、
前記近端装置に位置し、前記ＭＡＣフレーム構造データ及びフレームギャップの期間と前記物理層ＰＨＹ変換チップの出力タイミングとをマッチングするように設置される近端マッチングモジュールと、
前記近端装置に位置し、前記物理層ＰＨＹ変換チップによって、前記基本フレームをファイバ信号に変換して遠端装置に送信するように設置される近端送信モジュールと、を備えることを特徴とする装置。
【請求項１５】
近端装置と遠端装置との間でフレームデータ伝送を行う装置であって、
物理層ＰＨＹ変換チップが内蔵された前記遠端装置に位置し、近端装置から送信されるファイバ信号を受信するように設置される遠端受信モジュールと、
前記遠端装置に位置し、前記物理層ＰＨＹ変換チップによって、所定の出力タイミングで前記ファイバ信号を基本フレームに復元し、前記基本フレームが１番目の数のスーパーグループを含み、前記スーパーグループが２番目の数の基本グループを含み、前記基本グループがＭＡＣフレーム構造データ及びフレームギャップを含む遠端復元モジュールと、を備え、
前記物理層ＰＨＹ変換チップの出力タイミングが前記ＭＡＣフレーム構造データ及びフレームギャップの期間にマッチングすることを特徴とする装置。
【国際調査報告】
2019524036.tif 000018
2019524036.tif 000019
2019524036.tif 000020
2019524036.tif 000021